(57)【要約】【課題】レーザー距離計の使い勝手を良くするためのアクセサリー部品を提供すること。【解決手段】レーザー距離計を保持する為のホルダーとホルダー本体を移動させる為の移動手段と位置決めした場所で正確にマーキングする為の補助手段を有するホルダーから構成されている。移動させる為の手段として、ホルダー下面に設けた車輪、さらにマーキングの補助手段としてホルダーの側面の一部に設けたV字溝がある。このレーザー距離計用ホルダーを使用することにより連続測定を行なう場合に、レーザー距離計や床面等を傷付ける心配も無く、精度の良い位置決めマーキング作業が実現される。【選択図】図１
2010201510.tif 000002
【特許請求の範囲】
【請求項１】
レーザー距離計を保持するホルダーであって、
前記ホルダーは、
前記レーザー距離計を乗せるマウント部と、
前記レーザー距離計を前記ホルダ上で位置決めするための位置決め手段と、  
前記レーザー距離計を固定する為の固定手段と、
前記ホルダーを移動させるための移動手段と、を備えることを特徴とするレーザ距離計の可動式ホルダ。
【請求項２】
前記移動手段は車輪であり、固定手段はネジであることを特徴とする請求項１に記載の可動式ホルダー。
【請求項３】
レーザ距離計と、前記レーザー距離計を保持するホルダーとの組み合わせであって、
前記ホルダーは、
前記レーザー距離計を乗せるマウント部と、
前記レーザー距離計を前記ホルダ上で位置決めするための位置決め手段と、  
前記レーザー距離計を固定する為の固定手段と、
前記ホルダーを移動させるための移動手段と、を備えることを特徴とするレーザ距離計とホルダーとの組み合わせ。
【請求項４】
前記移動手段は車輪であり、固定手段はネジであることを特徴とする請求項３に記載のレーザ距離計とホルダーとの組み合わせ。
【発明の詳細な説明】
【技術分野】
【０００１】
本発明は、建築現場などで使用される位置決めなどの際にレーザ光を照射して距離を測定するレーザー距離計を移動可能に保持する可動式ホルダ等に関する。
【背景技術】
【０００２】
建築現場などで使用するレーザー機器の一つに測定対象物までの距離を測定するためのレーザー距離計がある。レーザー距離計は、レーザー光を測定対象物に照射し、その反射光をレーザー距離計に組み込まれた受光部で受け、先に照射した光と反射光の位相差を検出することによって、距離を割り出すものである。基本的な機能としては、レーザー距離計と測定対象間の距離を測定するものであるが、この他にも計測した2辺の値から面積を自動計算する機能、計測した3辺から体積を自動計算する機能や測定対象物までの距離を連続的に測定する機能等、多彩な機能がある。なかでも連続測定機能は、レーザー光を測定対象物に照射し続け、距離測定を連続して行なうため、測定対象物とレーザー距離計間の距離が変化しても、変化後の距離を測定することができる便利な機能である。
【先行技術文献】
【特許文献】
【０００３】
【特許文献１】特開平１１−１７３８４７号公報
【発明の概要】
【発明が解決しようとする課題】
【０００４】
連続測定機能は特定間隔おきに位置決めする場合に非常に有効な機能である。例えば壁から3m離れた場所を基点として床に50cmおきに位置決めする場合について考える。この場合はまず、壁からレーザー距離計までの距離が3mを示すまで、レーザー距離計を移動し、位置が決まったところで、床にマーキングをする。次に3m50cmの距離を示すまで、レーザー距離計を移動させ、位置が決まったところで、床にマーキングをする。以下同様に4m、4m50cm、5mと位置決めを行なう。ところでレーザー距離計を移動する際、レーザー距離計を床などの上を滑らせながら移動するので、距離計本体の裏面や床面などが傷ついたり、距離計本体が蛇行してまっすぐ移動しなかったり、レーザー距離計の位置が決まって鉛筆などで床上などにマーキングする際にマーキング位置が少しぶれたりして、使い難くなることがある。本発明は、このような従来の課題を解決し、レーザー距離計の使い勝手を良くするためのアクセサリー部品を提供することを目的とする。
【課題を解決するための手段】
【０００５】
上記目的を達成するために、本発明では、レーザー距離計を保持するホルダーであって、ホルダーは、レーザー距離計を乗せるマウント部と、レーザー距離計をホルダ上で位置決めするための位置決め手段と、レーザー距離計を固定する為の固定手段と、ホルダーを移動させるための移動手段と、を備えることを特徴としている。
【０００６】
一例としてホルダーを移動させる為の手段として、ホルダー下面に車輪を設け、さらにマーキングの為の補助手段としてホルダーの側面の一部にV字溝を設けることにより、マーキングする為の筆記用具の先端が精度良くマーキング位置に来るようにしている。
【発明の効果】
【０００７】
これにより使用者はレーザー距離計を用いて連続測定を行なう場合に、レーザー距離計や床面等を傷付ける心配も無く、精度良く位置決めマーキング作業を行なう事が可能となり、使い勝手に優れたレーザー距離計用ホルダーを提供することができる。
【図面の簡単な説明】
【０００８】
【図１】本発明の実施状態を示す外観図である。
【図２】本発明の使用例を示す説明図である。
【図３】本発明の使用例を示す説明図である。
【図４】本発明の使用例を示す説明図である。
【図５】本発明の使用例を示す説明図である。
【図６】本発明の使用例を示す説明図である。
【発明を実施するための形態】
【実施例１】
【０００９】
本発明の第１の実施の形態によるレーザ受光器について図を参照しながら説明する。図1及び図2は本発明の一例である。可動式ホルダー1はレーザー距離計11を載せるためのマウント2、レーザー距離計11をマウント2に精度良く載せるための位置決め部材3、可動式ホルダーを移動させるための車輪4及び車軸5、レーザー距離計をマウント2に固定するための固定ネジ6及び回転つまみ7から構成される。次に、本発明の可動式ホルダー1の使用方法について説明する。使用方法の一例として、室内にある壁8を測定対象物とし、壁8から3mの位置から50cm毎に床上2ヶ所にマーキングする場合について図３ないし図６を用いて説明する。
【００１０】
まず、可動式ホルダー1のマウント2にレーザー距離計11をのせる。ここで、レーザー距離計11の後端部を可動式ホルダー1の後方に設けている位置決め部材3に突き当て、レーザー距離計11の本体と可動式ホルダー1との位置合わせを精度良く行なう。次に、マウント2に付随している1/4インチの固定ネジ6で可動式ホルダー1とレーザー距離計11の本体をしっかり固定する。固定ネジ6の回転つまみ7はマウント2の側面部から若干量露出しているので、片手でレーザー距離計11の本体と可動式ホルダー1を支えながら、固定ネジ6の回転つまみ7を回すことによって、簡単に精度良くレーザー距離計11をマウント2に固定することができる。レーザー距離計11をマウント2に固定後、レーザー距離計11の測定モードを連続測定モードに変え、測定対象となる壁に向かってレーザー光12を照射する。照準が定まった後、距離測定を開始する。レーザー距離計11の測定値が3mになるまで、可動式ホルダー1を動かし、位置が決まった所で、車輪4を指で押さえることにより、ブレーキを掛ける。次に可動式ホルダー1が所定位置から動かないように注意しながら、マウント2の側面に設けているV字溝形状の切り欠き部9に鉛筆10等の先端部をあてがい、マーキングする。マーキングが終了したら、車輪4のブレーキを解除し、次はレーザー距離計11の測定値が3m50cmになるまで、可動式ホルダー1を動かし、位置が決まった所で、車輪4を指で押さえ、マーキングする。同様にして、4m位置まで可動式ホルダー1を移動し、マーキングをすることで作業が終了する。また、壁等に鉛直方向にマーキングする場合も同様に作業ができる。
【符号の説明】
【００１１】
１  可動式ホルダー
２  マウント
３  位置決め部材
４  車輪
５  車軸
６  固定ネジ
７  回転つまみ
８  壁
９  V字溝形状の切り欠き部
１０ 鉛筆
１１ レーザー距離計
１２ レーザー光
【図１】
2010201510.tif 000003
【図２】
2010201510.tif 000004
【図３】
2010201510.tif 000005
【図４】
2010201510.tif 000006
【図５】
2010201510.tif 000007
【図６】
2010201510.tif 000008